(57)【要約】【課題】極めて簡単な構成によって、遮光幕を適正な間隔で移動可能に保持することができ、該遮光幕をスムーズに動作させることができる光量制御装置を提供することを目的とする。【解決手段】光束を通過させる光学的開口２１ａ，２４ｂを有する第１及び第２基板２１，２４の間に間隔維持部２３を設けることにより所定の間隔を確保して単一の遮光幕２２を配置し、該遮光幕２２に所定のピッチで分極された誘電体を形成するとともに、該遮光幕２２を駆動させる帯状電極２４ａを第１又は第２基板２１，２４に形成した構成としてある。【選択図】          図４
2005274871.tif 000002
【特許請求の範囲】
【請求項１】
光束を通過させる光学的開口が形成された第１の基板と、
該第１の基板の光学的開口を通過した光が通過する光学的開口が形成された第２の基板と、
第１又は第２の基板上に設けられ、所定のピッチで形成された複数の帯状電極と、
前記第１及び第２の基板の間に配置されるとともに、所定のピッチで電気的に分極された誘電体を含み、前記帯状電極に印加された電圧により所定の方向に移動する遮光幕と、
前記遮光幕を所定の方向に移動可能に、前記第１及び第２の基板の間隔を維持する間隔維持部と、
を有することを特徴とする光量制御装置。
【請求項２】
前記遮光幕は、単一であることを特徴とする請求項１に記載の光量制御装置。
【請求項３】
前記帯状電極は、前記第１の基板と第２の基板とが対向する側の面に設けられていることを特徴とする請求項１に記載の光量制御装置。
【請求項４】
前記第１及び第２の基板は、前記光学的開口を通過する光束の光軸方向における前記遮光幕の移動を規制することを特徴とする請求項１に記載の光量制御装置。
【請求項５】
前記遮光幕は、前記帯状電極に沿って移動可能に保持されたことを特徴とする請求項１に記載の光量制御装置。
【請求項６】
前記間隔維持部は、前記遮光幕の移動方向に垂直な方向への移動を規制することを特徴とする請求項１に記載の光量制御装置。
【請求項７】
前記間隔維持部は、前記遮光幕の移動方向における所定以上の移動を規制することを特徴とする請求項１に記載の光量制御装置。
【請求項８】
前記間隔維持部は、前記第１又は第２の基板に一体的に設けられたことを特徴とする請求項１に記載の光量制御装置。
【請求項９】
請求項１乃至８いずれかに記載の光量制御装置を搭載したことを特徴とするカメラ。
【発明の詳細な説明】
【技術分野】
【０００１】
本発明は、遮光幕を備えたカメラのシャッタ装置又は絞り装置等の光量制御装置、及び該光量制御装置を搭載したカメラに関し、特に、極めて簡単な構成によって、遮光幕を適正な間隔で移動可能に保持することができ、該遮光幕をスムーズに動作させることができる光量制御装置に関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録する電子カメラが広く普及している。
一般に、カメラには銀塩フィルム用カメラや電子カメラのいずれにおいても、被写体からの光路上の光学的開口に、被写体からの光量を調節するための絞り装置や被写体の瞬時の像を捉えるためのシャッタ装置を設けることが必要である。
【０００３】
例えば、特開平８−２２０５９２号では、ステータ（基板）に帯状電極及び光学的開口を形成するとともに、該ステータに対向して高抵抗コーティング層を有するスライダ（遮光幕）を移動自在に設け、前記帯状電極に制御装置を接続して電圧を印加し、誘導電荷形アクチュエータの動作原理を用いて前記スライダを駆動させ、該スライダをシャッタ羽根として機能させたカメラ等のシャッタ装置が提案されている。
【０００４】
また、特開平１０−９６９７５号では、シャッタ開口を開ける開位置と、前記シャッタ開口を閉じる閉位置との間を移動する第一及び第二遮光部材を有し、前記第一遮光部材を閉位置から開位置に移動させた後、前記第二遮光部材を開位置から閉位置に移動させる往方向の開閉制御と、前記第二遮光部材を閉位置から開位置に戻した後、前記第一遮光部材を開位置から閉位置に戻す復方向の開閉制御とを行う制御手段を設けたカメラ等のシャッタ（フォーカルプレーンシャッタ）装置が提案されている。
【特許文献１】特開平８−２２０５９２号公報（［実施例］，図１，図２及び図３）
【特許文献２】特開平１０−９６９７５号公報（［発明の実施の形態］，図１及び図２）
【発明の開示】
【発明が解決しようとする課題】
【０００５】
上述した特開平８−２２０５９２号では、前記スライダを移動可能に保持する手段が何ら開示されておらず、該スライダの保持手段として、特開平１０−９６９７５号の如き複数のレバーや回転軸を用いた場合は部品点数の増大による構成の複雑化を招くとともに、前記スライダがこれらレバーや回転軸に拘束され、スムーズに高速動作させることができないという問題がある。
【０００６】
本発明は上記問題点に鑑みてなされたものであり、極めて簡単な構成によって、遮光幕を適正な間隔で移動可能に保持することができ、該遮光幕をスムーズに動作させることができる光量制御装置、及び該光量制御装置を搭載したカメラの提供を目的とする。
【課題を解決するための手段】
【０００７】
上記目的を達成するために、本発明に係る光量制御装置は、光束を通過させる光学的開口が形成された第１の基板と、該第１の基板の光学的開口を通過した光が通過する光学的開口が形成された第２の基板と、第１又は第２の基板上に設けられ、所定のピッチで形成された複数の帯状電極と、前記第１及び第２の基板の間に配置されるとともに、所定のピッチで電気的に分極された誘電体を含み、前記帯状電極に印加された電圧により所定の方向に移動する遮光幕と、前記遮光幕を所定の方向に移動可能に、前記第１及び第２の基板の間隔を維持する間隔維持部と、を有する構成としてある。
【０００８】
好ましくは、前記遮光幕が、単一である構成、又は、前記帯状電極が、前記第１の基板と第２の基板とが対向する側の面に設けられている構成、又は、前記第１及び第２の基板が、前記光学的開口を通過する光束の光軸方向における前記遮光幕の移動を規制する構成、又は、前記遮光幕が、前記帯状電極に沿って移動可能に保持された構成とする。
【０００９】
より好ましくは、前記間隔維持部が、前記遮光幕の移動方向に垂直な方向への移動を規制する構成、又は、前記間隔維持部が、前記遮光幕の移動方向における所定以上の移動を規制する構成、又は、前記間隔維持部が、前記第１又は第２の基板に一体的に設けられた構成とする。
【００１０】
また、上記目的を達成するため、本発明に係るカメラは、上述した本発明の光量制御装置を搭載した構成としてある。
【発明の効果】
【００１１】
本発明に係る光量制御装置、及び該光量制御装置を搭載したカメラによれば、第１及び第２基板間に単一又は複数の間隔維持部（スペーサ）を介在させるといった簡単な構成により、前記遮光幕を適正な間隔に保持しつつ移動可能とすることができ、これら遮光幕をスムーズに高速動作させることが可能となる。
【００１２】
また、前記間隔保持部材により確保した間隔に前記遮光幕を配置した場合、前記第１又は第２基板が前記遮光幕の押さえ板の役割を果たし、前記遮光幕の光軸方向の移動を規制しつつ、該遮光幕をその進行方向にスムーズに動作させることができる。
【発明を実施するための最良の形態】
【００１３】
以下、本発明の実施形態に係る光量制御装置、及び該光量制御装置を搭載したカメラについて図面を参照しながら説明する。なお、以下に述べる実施形態では、本光量制御装置をデジタルカメラのシャッタ装置又は絞り装置に応用した場合について例示してある。
そこで、まず、本発明の第１実施形態に係る光量制御装置、及び該光量制御装置を搭載したカメラとして、単一の遮光幕を備えたデジタルカメラのシャッタ装置について説明する。
【００１４】
図１(a),(b) は、本実施形態に係るデジタルカメラの概略構成を示す図であり、同図(a) はデジタルカメラの前面からの外観を示す斜視図、同図(b) は本デジタルカメラ内部の主要部の配置状態を示す斜視図である。
同図(a) に示すように、本実施形態に係るデジタルカメラ１は、前面右上隅に撮影レンズ窓２を備え、その左方にストロボ照射窓３を備えている。また、上面の左端部にはレリーズボタン４が設けてある。
【００１５】
同図(b) に示すように、デジタルカメラ１の内部は、全体の左方ほぼ２／３を占めて、各種の電子部品を搭載した回路基板５からなる制御装置や着脱交換自在な電池６などが配置してある。そして、その右方の全体のほぼ１／３を占める部分には、ユニット化されたレンズ装置７が配設してある。
【００１６】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２光軸Ｏ２に沿って、上記の入射光束を、レンズ装置７の下端部に配設した、例えばＣＣＤなどからなる撮像素子まで導いて撮像画像を生成する。
【００１７】
図２は、図１(b) に示すレンズ装置７のＡ−Ａ´矢視断面をデジタルカメラ１の図１(b) の左方から見た図であり、レンズユニット各部の概略の構成を示している。図１(b) に示したレンズ装置７の内部には、図２に示すように、上記下方に折り曲げられた第２光軸Ｏ２に沿って、第１固定鏡枠部８にレンズ群を保持した第１固定レンズ部９と、第１移動鏡枠１１にレンズ群を保持した第１移動レンズ部１２と、第２移動鏡枠１３にレンズ群を保持した第２移動レンズ部１４と、第３移動鏡枠１５にレンズを保持した第３移動レンズ部１６と、第２固定鏡枠部１７にレンズを保持した第２固定レンズ部１８と、これらのレンズ部の終端に配置した撮像素子１９とで構成してある。
【００１８】
上記第１移動レンズ部１２及び第２移動レンズ部１４は、レンズ装置７の光学系の第２光軸Ｏ２に沿って入射する被写体の光束の焦点距離を変化させる、つまりズーム比調節用に設けてあり、第３移動レンズ部１６は、上記の光束が撮像素子１９上に結像する焦点調節のために設けてある。そして、上記第１移動レンズ部１２と第２移動レンズ部１４の間はシャッタ位置（絞り位置でもある）Ｐとなっている。
【００１９】
図３(a) は、図１(b) に示したレンズ装置７をデジタルカメラ１の図１(b) の背面側から見た拡大斜視図であり、図３(b) は本実施形態に係る光量制御装置２０を単独で示す図、図３(c) は撮像素子を単独に示す図である。
図３(a) に示すように、レンズ装置７における、図２に示したシャッタ位置（絞り位置）Ｐには、本実施形態に係る光量制御装置（シャッタ装置）２０が組み込んである。本光量制御装置２０は、図３(b) に示すように、長辺ａと短辺ｂからなる矩形の平らな板状体をなす装置である。なお、該光量制御装置２０の第２光軸Ｏ２（図２参照）の終端、すなわち、レンズ装置７の下端部には、図２にも示した撮像素子１９が配置してある。この撮像素子１９も、長辺ａ´と短辺ｂ´からなる矩形の受光面１９ａを有している。
【００２０】
図４は本光量制御装置２０の分解斜視図である。また、図５は図４に示す本光量制御装置２０の組立状態の部分拡大断面図である。本光量制御装置２０は、図４の上から示す第１基板２１，遮光幕２２，間隔維持部２３，第２基板２４とで構成してある。
第１基板２１は、光学的開口２１ａを形成した板状部材であり、遮光幕２２の光軸方向の移動を規制する押さえ板の役割を果たすものである。したがって、該遮光幕２２を駆動させるための帯状電極は形成していない。また、光学的開口２１ａは、必ずしも貫通孔のような物理的開口部のみならず、例えば、第１基板２１を通過部材とし、塗装等により光学的開口２１ａに相当する部分のみを通過領域とした構成としてもよい。さらに、第１基板２１の光学的開口２１ａに隣接する箇所は遮光幕２２の退避部２３としてある。
【００２１】
遮光幕２２は、光を遮蔽する矩形の薄板状のシャッタ羽根である。該遮光幕２２の第２基板２３との対向面である裏面には、図示していないが、所望のピッチで電気的に永久分極されたエレクトレット（図７の符号２２ａ，２２ｂ参照）を備えている。
間隔維持部２３は、第１及び第２基板２１，２４相互の間隔を維持するために設けた矩形枠状部材であり、遮光幕２２の進行方向と平行な一対の当接面２３ａ，２３ａと、進行方向と直交する一対の当接面２３ｂ，２３ｂを有している。
【００２２】
ここで、図５に示すように、該間隔維持部２３の厚みｔkは、遮光幕２２の厚みｔsより若干大きくなっており、第１及び第２基板２１，２４の相互間においてｔk−ｔsの微少な間隙を形成している。また、間隔維持部２３は、その当接面２３ａ，２３ａを遮光幕２２の各短辺部に当接させることにより、該遮光幕２２の進行方向と垂直な方向への移動を規制しつつ、該遮光幕２２を進行方向にガイドしている。さらに、間隔維持部２３は、その当接面２３ｂ，２３ｂを遮光幕２２の各長辺部に当接させることにより、該遮光幕２２の進行方向への移動を規制している。これらの構成により、遮光幕２２は進行方向に移動可能に保持されている。
【００２３】
第２基板２４は、遮光幕２２を駆動させるための帯状電極２４ａがその表面に形成してある。また、該第２基板２４の中央右側には矩形の光学的開口２４ｂが形成してある。
第１基板２１と同様に、第２基板２４の光学的開口２４ｂに隣接する箇所は遮光幕２２の退避部２４ｃとなっている。
【００２４】
次に、本光量制御装置２０における遮光幕２２の駆動原理について説明する。図６(a),(b) は、本光量制御装置２０における遮光幕２２の駆動原理を説明する図である。なお、以下に述べる駆動原理の説明は、専ら遮光幕２２と第２基板２４との電気な関係が中心となるので、説明の便宜上、遮光幕２２に代えて移動子２２といい、第２基板２４に代えて固定子２４ということにする。
【００２５】
上述したように、移動子２２は、固定子２４に対して同図(a),(b) の左右方向に移動自在となっている。そして、固定子２４には、被写体からの光像を撮像素子１９（図２，図３参照）に導くための光学的開口２４ｂが設けてあるとともに、複数の帯状電極（駆動電極）２４ａが所定のピッチで並設してある。他方、移動子２７は、遮光性を有する部材からなり、その裏面に永久分極された誘電体の部位を備えている。このような誘電体は、一般にエレクトレットと呼ばれている。
【００２６】
エレクトレットとは、電気を通しにくい、例えば、テフロン（登録商標）、ポリプロピレン、マイラーなどの高分子材料を加熱溶融し、これに直流の高電圧を加えながら電極の間で固化させた後、電極を取り去ると、電極に接していた面が正または負に帯電し、これらの分極（正と負の電気に分かれた状態）が半永久的に保持されているもののことを称する用語である。
【００２７】
上記光量制御装置２０において、帯状電極２４ａに正負の電圧を周期的に印加すると、帯状電極２４ａと移動子２２の前記エレクトレットとの間に吸引力又は反発力が発生し、結果的に移動子２２が固定子２４に対して相対移動する。
したがって、移動子２２が固定子２４の光学的開口２４ｂを開放又は遮蔽するように移動可能とすることによってシャッタ機構を構成することができる。図６(a) はシャッタが開の状態を示し、同図(b) はシャッタが閉の状態を示している。以下、本構成に係るシャッタ機構を「エレクトレットシャッタ」と称することにする。
【００２８】
図７は、エレクトレットシャッタとその駆動回路を模式的に示す図である。同図は右にエレクトレットシャッタの断面を模式的に示し、左に駆動回路をブロック図で示している。同図に示すように、固定子２４に並設した複数の帯状電極２４ａには、駆動回路３２からの電圧信号線がそれぞれ接続してある。該電圧信号線に４相の電圧信号を印加することにより、帯状電極２４ａの四本毎に同一の電圧信号を印加している。図７では、帯状電極２４ａにＡ、Ｂ、Ｃ、Ｄの符号を付してこの電圧信号を区別している。
【００２９】
固定子２４の帯状電極２４ａの配設面に対向して移動子２２が配置してある。移動子２２の固定子２４との対向面には、永久分極された上述した誘電体（エレクトレット）２２ａ，２２ｂが形成してある。
同図の左に示す駆動回路３２では、パルス発生回路３４が矩形波列（駆動パルス信号）を生成し、該駆動パルス信号を昇圧回路３５と位相器３６に出力する。昇圧回路３５は、入力した駆動パルス信号を１００Ｖ程度まで昇圧するとともに、２つの極性を有する電圧信号に分岐して帯状電極Ａ及びＣに出力する。
【００３０】
他方、位相器３６は、入力した駆動パルス信号を９０°位相が遅れた波形として昇圧回路３５に出力する。その後、昇圧回路３５が、該駆動パルス信号を入力して、上述と同様の２つの極性を有する電圧信号に分岐して帯状電極Ｂ及びＤに出力する。
図８は、駆動回路３２によって生成されて帯状電極２４ａに印加される電圧信号列を示す図である。帯状電極２４ａの電圧の状態は、期間Ｔにおけるｔ１〜ｔ４の４つの状態変化が時間ｔにおける期間Ｔごとの経過に対応して繰り返される。
【００３１】
図９は、前記エレクトレットシャッタの動作を説明する図である。同図(a) は図８において各帯状電極Ａ，Ｂ，Ｃ，Ｄの電圧状態が、図８に示したｔ１の印加電圧の状態に切り替った直後のエレクトレットと帯状電極との対応関係を示している。
エレクトレット２２ａは、帯状電極Ａから反発力を受け、帯状電極Ｂから吸引力を受ける。また、エレクトレット２２ｂは、帯状電極Ｃから反発力を受け、帯状電極Ｄから吸引力を受ける。このため、移動子２２は図の右方向に力を受けて、１つの帯状電極ピッチｄだけ移動する。
【００３２】
図９(b) は、上記に続いて図８に示したｔ２の印加電圧の状態に切り替った直後のエレクトレットと駆動電極との対応関係を示している。エレクトレット２２ａは、帯状電極Ｂから反発力を受け、帯状電極Ｃから吸引力を受ける。また、エレクトレット２２ｂは、帯状電極Ｄから反発力を受け、帯状電極Ａから吸引力を受ける。このため、移動子２２は図の右方向に力を受けて、再び１つの帯状電極ピッチｄだけ移動する。
【００３３】
図９(c) は、上記に続いて図８に示したｔ３の印加電圧の状態に切り替った直後のエレクトレットと帯状電極との対応関係を示し、図９(d) は、同図(c) に続いて図８に示したｔ４の印加電圧の状態に切り替った直後のエレクトレットと帯状電極との対応関係を示している。図９(a),(b) で説明した動作と同様に、移動子２２は、１つの帯状電極ピッチｄだけ順次移動する。
【００３４】
そして、この動作が繰り返されることにより、移動子２２は図の右方向に移動する。なお、移動子２２を図の左方向に移動するためには、帯状電極２４ａに印加する電圧の極性を逆に切り替えればよい。
上述の通り、移動子２２は、それ自体が半永久的な分極帯電部を備えているので、例えば、誘導電荷形アクチュエータのように、電圧印加、電荷蓄電及び静電誘導を繰り返す手数と時間を要することなく、単に駆動電圧の印加だけで移動子を迅速に駆動することができる。
【００３５】
このような本実施形態に係る光量制御装置２０によれば、第１及び第２基板２１，２４間に矩形枠状の間隔維持部２３を介在させるといった簡単な構成により、遮光幕２２を適正な間隔に保持しつつ移動可能とすることができ、該遮光幕２２をスムーズに高速動作させることが可能となる。
【００３６】
また、間隔保持部２３により確保した間隔に遮光幕２２を配置した場合、第１基板２１が該遮光幕２２の押さえ板の役割を果たし、該遮光幕２２の光軸方向の移動を規制しつつ、該遮光幕２２をその進行方向にスムーズに動作させることができる。
さらに、間隔保持部２３の垂直な当接面２３ｂ，２３ｂによって、遮光幕２２を進行方向の左側又は右側で停止させることができる。
【００３７】
次に、本発明の第２実施形態に係る光量制御装置ついて、図１０を参照しつつ説明する。図１０は本発明の第２実施形態に係る光量制御装置の分解斜視図である。
同図において、本実施形態に係る光量制御装置４０は、カメラの絞り装置であり、図の左から示す第１基板４１，遮光幕４２，第２基板４３で構成してある。
【００３８】
第１基板４１は、上述した第１実施形態における第１基板２１（図４参照）と同様、光学的開口４１ａを形成した板状部材であり、遮光幕４２の光軸方向の移動を規制する押さえ板の役割を果たすものである。したがって、該遮光幕４２を駆動させるための帯状電極は形成していない。
【００３９】
遮光幕４２は、上述した第１実施形態における遮光幕２２（図４参照）と異なり、その中央に、前記第１基板４１の光学的開口４１ａより直径の小さい光学的開口４２ａが形成してあり、該遮光幕４２を移動させてこれら二つの光学的開口を選択することにより、絞りを二段階に調整可能となっている。なお、第１実施形態と同様、該遮光幕４２は、第２基板４３との対向面である裏面に、永久分極された前記誘電体（エレクトレット）を複数備えている（図示せず）。
【００４０】
第２基板４３は、上述した第１実施形態における第２基板２４（図４参照）と同様、その表面に遮光幕４２を駆動させるための帯状電極４３ａが形成してあるとともに、その中央右側に矩形の光学的開口４３ｂが形成してある。
ここで、第２基板４３は、上述した第１実施形態における第２基板２４（図４参照）と異なり、前記帯状電極４３ａの上下に、レール状の間隔維持部４４，４４を突設した構成となっている。該間隔維持部４４，４４は、帯状電極４３ａを形成する際のエッチング，蒸着等の時間を制御することにより、第２基板４３に一体的に成形してある。
【００４１】
該間隔維持部４４，４４は、その水平な当接面４４ａ，４４ａを遮光幕４２の上下縁部に当接させ、該遮光幕４２の進行方向と垂直な方向への移動を規制しつつ、該遮光幕４２を進行方向にガイドする。
なお、第１実施形態と同様、間隔維持部４４，４４の厚みｔkは、遮光幕４２の厚みｔsよりも若干大きくしてあり（図５参照）、第１及び第２基板４１，４３間において、遮光幕４２を適正な間隔に保持し、進行方向へのスムーズな移動を可能としている。
【００４２】
このような本実施形態に係る光量制御装置４０によれば、第２基板４３に突起状の間隔維持部４４，４４を一体成形するといった簡単な構成により、遮光幕４２を適正な間隔に保持しつつ移動可能とすることができ、部品点数の減少を図りつつ、遮光幕４２をスムーズに高速動作させることが可能となる。
【００４３】
次に、本発明の第３実施形態に係る光量制御装置ついて図１１を参照しつつ説明する。図１１は本発明の第３実施形態に係る光量制御装置の分解斜視図である。
同図において、本実施形態に係る光量制御装置５０は、カメラのシャッタ装置であり、図の左から示す第１基板５１，遮光幕５２，第２基板５３で構成してある。
【００４４】
第１基板５１は、上述した第１実施形態における第１基板４１（図４参照）と同様、光学的開口５１ａを形成した板状部材であり、遮光幕５２の光軸方向の移動を規制する押さえ板の役割を果たし、したがって、該遮光幕５２を駆動させるための帯状電極は形成していない。
【００４５】
遮光幕５２は、上述した第１実施形態における遮光幕４２（図４参照）と同様、光を遮蔽するシャッタ羽根であり、光学的開口を有しない矩形の薄板状体である。第１実施形態と同様、該遮光幕５２の第２基板５３との対向面である裏面には、永久分極された前記誘電体（エレクトレット）を複数備えている。
【００４６】
第２基板５３は、上述した第２実施形態における第２基板４３（図１０参照）と同様、遮光幕５２を駆動させるための帯状電極５３ａと、矩形の光学的開口５３ｂとを形成した点で構成が共通しているが、上述した第２実施形態における間隔維持部４４，４４（図１０参照）と異なり、第２基板５３の表面上下には、略逆凹字状又は凹字状の間隔維持部５４，５４が一体成形してある点で構成が相違している。
【００４７】
すなわち、間隔維持部５４，５４は、それぞれ水平なレール状の突起部５４Ａ，５４Ａの両端に、垂直な位置規制部５４Ｂ，５４Ｂを連成した構成としてあり、突起部５４Ａ，５４Ａの水平な当接面５４ａ，５４ａのみならず、位置規制部５４Ｂ，５４Ｂの垂直な当接面５４ｂ，５４ｂにより、遮光幕５２の移動を規制している。
【００４８】
具体的には、突起部５４Ａ，５４Ａの水平な当接面５４ａ，５４ａにより、遮光幕５２の進行方向と垂直な方向への移動を規制するとともに、位置規制部５４Ｂ，５４Ｂの垂直な当接面５４ｂ，５４ｂを遮光幕５２の左右端部に当接させ、進行方向への移動を規制している。
【００４９】
なお、第１実施形態と同様、間隔維持部５４，５４の厚みｔkは、遮光幕５２の厚みｔsよりも若干大きくしてあり（図５参照）、第１及び第２基板５１，５３間において、遮光幕５２を適正な間隔に保持し、進行方向へのスムーズな移動を可能としている。
このような本実施形態に係る光量制御装置５０によれば、第１実施形態に係る光量制御装置２０（図４参照）と全く同様の作用効果を奏するのみならず、第２基板５３に突起状の間隔維持部５４，５４を一体成形するといった簡単な構成により、遮光幕５２を適正な間隔に保持しつつ移動可能とすることができ、部品点数の減少を図りつつ、該遮光幕５２をスムーズに高速動作させることが可能となる。
【００５０】
次に、本発明の第４実施形態に係る光量制御装置ついて図１２を参照しつつ説明する。図１２は本発明の第４実施形態に係る光量制御装置の分解斜視図である。
同図において、本実施形態に係る光量制御装置６０は、カメラの絞り装置であり、図の左から示す第１基板６１，第１遮光幕６２，第２基板６３，第２遮光幕６６，第３基板６６で構成してある。
【００５１】
第１基板６１は、上述した第１実施形態における第１基板２１（図４参照）と同様、光学的開口６１ａを形成した板状部材であり、第１遮光幕６２の光軸方向の移動を規制する押さえ板の役割を果たし、したがって、該第１遮光幕６２を駆動させるための帯状電極は形成していない。
【００５２】
第１遮光幕６２は、上述した第２実施形態における遮光幕４２（図１０参照）と同様、その中央に、前記第１基板６１の光学的開口６１ａより直径の小さい光学的開口６２ａが形成してあり、第２基板６３との対向面である裏面に、永久分極された前記誘電体（エレクトレット）を複数備えている（図示せず）。
【００５３】
第２基板６３は、上述した第２実施形態における第２基板４３（図１０参照）と同様、その表面に第１遮光幕６２を駆動させるための帯状電極６３ａが形成してあるとともに、その中央右側に矩形の光学的開口６３ｂが形成してある。
また、第２基板６３の表面における帯状電極６３ａの上下には、レール状の第１間隔維持部６４，６４が一体成形してある。該第１間隔維持部６４，６４は、その水平な当接面６４ａ，６４ａを第１遮光幕６２の上下縁部に当接させ、該第１遮光幕６２の進行方向と垂直な方向への移動を規制しつつ、該第１遮光幕６２を進行方向にガイドする。
【００５４】
第２遮光幕６５は、前記第１遮光幕６２とほぼ同様の構成となっているが、該第１遮光幕６２の光学的開口６２ａよりもさらに直径の小さい光学的開口６５ａが形成してある。
第３基板６６は、上述した第２基板６３と同様、その表面に第２遮光幕６５を駆動させるための帯状電極６６ａが形成してあるとともに、その中央右側に矩形の光学的開口６６ｂが形成してある。
【００５５】
また、第３基板６６の表面における帯状電極６６ａの上下には、上述した第２基板６３と同様、レール状の第２間隔維持部６７，６７が一体成形してある。該第２間隔維持部６７，６７は、その水平な当接面６７ａ，６７ａを第２遮光幕６５の上下縁部に当接させ、該第２遮光幕６５の進行方向と垂直な方向への移動を規制しつつ、該第２遮光幕６５を進行方向にガイドする。
【００５６】
なお、第１実施形態と同様、第１及び第２間隔維持部６４，６４及び６７，６７の厚みｔkは、第１及び第２遮光幕６２，６５の厚みｔsよりも若干大きくしてあり（図５参照）、第１及び第２基板６１，６３間、若しくは第２及び第３基板６３，６６間において、第１及び第２遮光幕６２，６５をそれぞれ適正な間隔に保持し、進行方向へのスムーズな移動を可能としている。
【００５７】
このような本実施形態の光量制御装置６０によれば、突起状の第１及び第２間隔保持部材６４，６４及び６７，６７を、第２及び第３基板６３，６６に一体成形するといった極めて簡単な構成により、第１，第２及び第３基板６１，６３，６６相互間に第１及び第２遮光幕６２，６５をそれぞれ移動可能に保持することができ、これにより、第１及び第２遮光幕６２，６５を移動させて合計三つの光学的開口６１ａ，６２ａ，６５ａを選択し、絞りを三段階に調整可能とすることができる。
【図面の簡単な説明】
【００５８】
【図１】同図(a),(b) は、本発明の第１実施形態に係るデジタルカメラの概略構成を示す図であり、同図(a) は本デジタルカメラの前面からの外観を示す斜視図、同図(b) は本デジタルカメラ内部の主要部の配置状態を示す斜視図である。
【図２】図１(b) に示すレンズ装置のＡ−Ａ´矢視断面を本デジタルカメラの図１(b) の左方から見た図であり、レンズユニット各部の概略の構成を示している。
【図３】同図(a) は、図１(b) に示したレンズ装置を本デジタルカメラの図１(b) の背面側から見た拡大斜視図であり、同図(b) は本発明の第１実施形態に係る光量制御装置を単独に示す図、同図(c) は撮像素子を単独に示す図である。
【図４】本光量制御装置の分解斜視図である。
【図５】図４に示す本光量制御装置の組立状態の部分拡大断面図である。
【図６】同図(a),(b) は、本光量制御装置における遮光幕の駆動原理を説明する図である。
【図７】エレクトレットシャッタとその駆動回路を模式的に示す図である。
【図８】駆動回路によって生成されて帯状電極に印加される電圧信号列を示す図である。
【図９】本光量制御装置の動作を説明する図である。同図(a) は図７において各帯状電極Ａ，Ｂ，Ｃ，Ｄの電圧状態が、図７に示したｔ１の印加電圧の状態に切り替った直後のエレクトレットと帯状電極との対応関係を示している。同図(b) は、上記に続いて図７に示したｔ２の印加電圧の状態に切り替った直後のエレクトレットと駆動電極との対応関係を示している。同図(c) は、上記に続いて図７に示したｔ３の印加電圧の状態に切り替った直後のエレクトレットと帯状電極との対応関係を示し、同図(d) は、同図(c) に続いて図７に示したｔ４の印加電圧の状態に切り替った直後のエレクトレットと帯状電極との対応関係を示している。
【図１０】本発明の第２実施形態に係る光量制御装置の分解斜視図である。
【図１１】本発明の第３実施形態に係る光量制御装置の分解斜視図である。
【図１２】本発明の第４実施形態に係る光量制御装置の分解斜視図である。
【符号の説明】
【００５９】
１…デジタルカメラ
２…撮影レンズ窓
３…ストロボ照射窓
４…レリーズボタン
５…回路基板
６…電池
７…レンズ装置
８…第１固定鏡枠部
９…第１固定レンズ部
１１…第１移動鏡枠
１２…第１移動レンズ部
１３…第２移動鏡枠
１４…第２移動レンズ部
１５…第３移動鏡枠
１６…第３移動レンズ部
１７…第２固定鏡枠部
１８…第２固定レンズ部
１９…撮像素子
１９ａ…受光面
２０…光量制御装置（シャッタ装置）
２１…第１基板
２１ａ…光学的開口
２１ｂ…退避部
２２…遮光幕
２２ａ，２２ｂ…誘電体（エレクトレット）
２３…間隔維持部（スペーサ）
２３ａ，２３ｂ…当接面
２４…第２基板
２４ａ…帯状電極
２４ｂ…光学的開口
２４ｃ…退避部
３２…駆動回路
３４…パルス発生回路
３５…昇圧回路
３６…位相器
４０…光量制御装置（絞り装置）
４１…第１基板
４１ａ…光学的開口
４２…遮光幕
４２ａ…光学的開口
４３…第２基板
４３ａ…帯状電極
４３ｂ…光学的開口
４４…間隔維持部
４３ａ，４３ｂ…当接面
５０…光量制御装置（シャッタ装置）
５１…第１基板
５１ａ…光学的開口
５２…遮光幕
５３…第２基板
５３ａ…帯状電極
５３ｂ…光学的開口
５４…間隔維持部
５３Ａ…突起部
５３Ｂ…位置規制部
５４ａ，５４ｂ…当接面
６０…光量制御装置（絞り装置）
６１…第１基板
６１ａ…光学的開口
６２…第１遮光幕
６２ａ…光学的開口
６３…第２基板
６３ａ…帯状電極
６３ｂ…光学的開口
６４…第１間隔維持部
６４ａ…当接面
６５…第２遮光幕
６５ａ…光学的開口
６６…第２基板
６６ａ…帯状電極
６７ｂ…光学的開口
６７…第２間隔維持部
６７ａ…当接面
【図１】
2005274871.tif 000003
【図２】
2005274871.tif 000004
【図３】
2005274871.tif 000005
【図４】
2005274871.tif 000006
【図５】
2005274871.tif 000007
【図６】
2005274871.tif 000008
【図７】
2005274871.tif 000009
【図８】
2005274871.tif 000010
【図９】
2005274871.tif 000011
【図１０】
2005274871.tif 000012
【図１１】
2005274871.tif 000013
【図１２】
2005274871.tif 000014